(57)【要約】【課題】外周側にも試し書領域を設けたディスクに、高記録線速度での試し書きを確実に行なえるディスク装置と方法及びディスクを提供する。【解決手段】ディスクを読み取り、ユーザデータエリアよりも外周に存在する外周側試し書領域を検出する検出部と、一定以上の線速度となると、外周側試し書領域に試し書きを行い、ストラテジを決定する処理部と、決定したストラテジに基づいてディスクに記録処理を行う制御部とを有するディスク装置である。一定速度以上の記録の際には、外周側の試し書領域を用いて、容易に高速の試し書きを行うことができる。【選択図】    図１
2004199840.tif 000002
【特許請求の範囲】
【請求項１】
ディスクを読み取り、ユーザデータエリアよりも外周に存在する外周側試し書領域を検出する検出部と、
前記ディスクの速度に基づいて、前記検出部が検出した前記外周側試し書領域に試し書きを行い、ストラテジを決定する処理部と、
前記処理部が決定したストラテジに基づき、前記ディスクに記録処理を行う制御部と、を具備することを特徴とするディスク装置。
【請求項２】
前記処理部は、前記ディスクの記録線速度が所定以上であるとき、前記外周側試し書領域に試し書きを行うことを特徴とする請求項１記載のディスク装置。
【請求項３】
前記処理部は、前記ディスクの記録速度がｎ倍速以上であるとき、前記外周側試し書領域に試し書きを行うことを特徴とする請求項１記載のディスク装置。
【請求項４】
前記ディスクは、ＣＡＶ（Constant Angular Velocity）方式で回転され、前記処理部は、前記ディスクの回転速度が所定以上であるとき、前記外周側試し書領域に試し書きを行うことを特徴とする請求項１記載のディスク装置。
【請求項５】
ディスクを読み取り、ユーザデータエリアよりも内周に存在する内周側試し書領域と、前記ユーザデータエリアよりも外周に存在する外周側試し書領域を検出する検出部と、
前記ディスクのユーザデータエリアは所定の半径位置で内周側のエリアと外周側のエリアに分けられ、前記内周側エリアでの記録のための試し書を内周側試し書領域で行い、前記外周側エリアでの記録のための試し書を前記外周側試し書領域で行ってストラテジを決定する処理部と、
前記処理部が決定したストラテジに基づき、前記ディスクに記録処理を行う制御部と、を具備することを特徴とするディスク装置。
【請求項６】
前記処理部は、前記外周側試し書領域に試し書きを行う際に、内周側から外周側に向かって行うことを特徴とする請求項５記載のディスク装置。
【請求項７】
ディスクを読み取り、ユーザデータエリアよりも外周に存在する外周側試し書領域を検出し、
前記ディスクの速度に基づいて、前記検出した外周側試し書領域に試し書きを行ってストラテジを決定し、
前記決定したストラテジに基づき、前記ディスクに記録処理を行うことを特徴とするディスク記録方法。
【請求項８】
前記ディスクの記録線速度が所定以上であるとき、前記外周側試し書領域に試し書きを行うことを特徴とする請求項７記載のディスク記録方法。
【請求項９】
前記ディスクの記録速度がｎ倍速以上であるとき、前記外周側試し書領域に試し書きを行うことを特徴とする請求項７記載のディスク記録方法。
【請求項１０】
前記ディスクは、ＣＡＶ方式で回転され、前記ディスクの回転速度が所定以上であるとき、前記外周側試し書領域に試し書きを行うことを特徴とする請求項７記載のディスク記録方法。
【請求項１１】
ディスクを読み取り、ユーザデータエリアよりも内周に存在する内周側試し書領域と、前記ユーザデータエリアよりも外周に存在する外周側試し書領域を検出し、
前記ディスクのユーザデータエリアは所定の半径位置で内周側のエリアと外周側のエリアに分けられ、前記内周側エリアでの記録のための試し書を内周側試し書領域で行い、前記外周側エリアでの記録のための試し書を前記外周側試し書領域で行ってストラテジを決定し、
前記決定したストラテジに基づき、前記ディスクに記録処理を行うことを特徴とするディスク記録方法。
【請求項１２】
前記外周側試し書領域で試し書きを行う際に、内周側から外周側に向かって行うことを特徴とする請求項１１記載のディスク記録方法。
【請求項１３】
情報が記録されるユーザデータエリアの内周側に設けられる、記録ストラテジを決定するために試し書きを行うための内周側試し書領域と、前記ユーザデータエリアの外周側に設けられる同じく試し書きを行うための外周側試し書領域とを具備することを特徴とするディスク。
【請求項１４】
前記ユーザデータエリアと前記外周側試し書領域との間にロスエリアを設けたことを特徴とする請求項１３記載のディスク。
【請求項１５】
前記外周側試し書領域は、リードアウト領域の更に外周側に設けたことを特徴とする請求項１３記載のディスク。
【請求項１６】
前記ユーザデータエリアの内周側であり更にリードインエリアの内周側に設けられた第１の記録管理領域とは別に、前記ユーザデータエリアの外周側であり更にリードアウトエリアの外周側に第２の記録管理領域を設けたことを特徴とする請求項１３記載のディスク。
【発明の詳細な説明】
【０００１】
【発明の属する技術分野】
この発明は、試し書きを行ってストラテジを決定するディスク装置に関し、特に、外周側試し書領域にも対応するディスク装置とディスク記録方法及びこのディスクに関する。
【０００２】
【従来の技術】
最近、光ディスクが飛躍的に一般化しつつあり、再生処理に限らず、これを用いた記録装置についても、多くの機種が普及してきている。このような記録処理において、例えば、ＤＶＤ（Digital Versatile Disk）等の光ディスクへ情報を記録する場合の記録線速度は一定の値に定められている。一例として、ＤＶＤ−Ｒ、ＲＷ等への記録線速度は３．４９ｍ／ｓと規格で定められているが、より高線速度で記録を行う場合については想定されていない。
【０００３】
しかし、従来技術として、標準の記録線速度とは異なる速度で記録が可能であるディスクが知られている（例えば、特許文献１参照）。ここでは、そのディスクが標準の記録線速度である３．４９ｍ／ｓとは異なる速度で記録が可能であるという情報がディスク内に格納されており、これを読み取ることで光ディスク記録再生装置は、可能な範囲で２倍速、４倍速等の記録線速度でのデータ記録を行うことができる。これにより、標準線速度だけではなく、光ディスクが与える速度に応じて２倍速等の線速度でデータの記録処理を行うことが可能となる。
【０００４】
【特許文献１】
特開２０００−１１３４５８号公報。
【０００５】
【発明が解決しようとする課題】
しかしながら、この従来技術においては、記録処理を行う際の記録ストラテジを決定する場合に行われる試し書については記載されてはおらず、４倍速、８倍速と速度が上がるにつれて、内周側に存在する試し書領域（ＰＣＡ）での試し書が困難となるという不具合がある。すなわち、高速の記録線速度で内周側の試し書領域に試し書きを行うと、ディスクを非常に高速で回転させなければならず、光ディスクの場合、約１万回転以上で回転させる必要が発生する場合があり、著しく動作が不安定になるという問題がある。
本発明は、外周側にも試し書領域を設けたディスクに高記録線速度での試し書きを確実に行うことができるディスク装置とディスク記録方法及びこのディスクを提供することを目的とする。
【０００６】
【課題を解決するための手段】
本発明は、ディスクを読み取り、ユーザデータエリアよりも外周に存在する外周側試し書領域を検出する検出部と、前記ディスクの速度に基づいて、前記検出部が検出した前記外周側試し書領域に試し書きを行い、ストラテジを決定する処理部と、前記処理部が決定したストラテジに基づき、前記ディスクに記録処理を行う制御部とを具備することを特徴とするディスク装置である。
【０００７】
本発明に係るディスク装置は、上述したように、内周側だけではなく、外周側にも試し書領域を設けたディスクに対して、一定の線速度を越えると、外周側試し書領域に試し書きを行い、その結果に応じて記録ストラテジを決定する。従って、例えば、４倍速や８倍速、１６倍速以上が要望された場合でも、線速度が得られやすい最外周に位置する外周側試し書領域に試し書きを行うことにより、ディスクの回転速度を上げすぎて装置や処理に不具合が発生するということがなく、安定して試し書きを行うことができ、最適なストラテジで記録処理を行うことができる。
【０００８】
【発明の実施の形態】
以下、図面を参照してこの発明の実施形態であるディスク装置及びこのディスクを、光ディスクの、ＤＶＤ（Digital Versatile Disk）−Ｒ，ＲＷ（Rewritable）と、これに記録処理を行う光ディスク装置を例にとって、図面を用いて以下に詳細に説明する。
図１は、本発明に係る光ディスク装置の構成の一例を示すブロック図、図２は、本発明に係る光ディスクの構成の一例を示す説明図である。
【０００９】
＜光ディスク装置＞
本発明に係る光ディスクを用いる光ディスク記録再生装置は、図１において、システム制御部１３０はＲＡＭ１２１を作業エリアとして使用し、ＲＯＭ１２０に記録されたプログラムに従って所定の動作を行う。光ピックアップ１０１から出力された光は、ディスクＤに照射される。ディスクＤからの反射光は、ヘッドアンプ１０２で電気信号に変えられる。この電気信号は、信号処理部１０３に入力される。信号処理部１０３には、ＲＦアンプ、サーボエラー検出部としてのフォーカスエラー（ＦＥ）検出部、トラッキングエラー（ＴＥ）検出部、ウォブル（ＷＢ）信号検出部などが含まれる。
【００１０】
サーボエラー信号であるフォーカスエラー信号やトラッキングエラー信号は、サーボ制御部１０４に送られ、各々の最適イコライザ処理が施される。サーボエラー信号は、アクチュエータドライバー１０５を通して、光ピックアップ１０１の対物レンズやピックアップ送りモータを制御する。これにより、レーザビームが目的のトラックに安定に照射される。また、モータドライブ回路１２２を介してスピンドルモータ１２３を所定の速度に制御する。
【００１１】
この動作に併せて、ウォブル信号も検出され、ライトチャネルＰＬＬ回路１０６にて書込みクロックが生成される。このＰＬＬ回路１０６で生成されるクロックは、読出し時はリードチャンネルＰＬＬ回路１０７で生成される読出しクロックのロック動作を速やかに行う為に利用されることもある。回路１０７からのクロックは、読取りバッファ１０８に供給される。
【００１２】
データ書込み動作時は、データ処理部１１１がライトチャンネル回路１０６で作られた書込みクロックを用いて、インターフェース１１２を通して送られてくるデータに誤り検出符号（ＥＤＣ）やＩＤを付加し、サーボ安定のためのデータスクランブル処理を施し、更に誤り訂正符号（ＥＣＣ）を付加し、同期信号を付加すると併せて、同期信号以外を変調し、書込みパワー制御部１１３に送って、後述する試し書きで求められた光ディスクに最適な記録ストラテジによって、レーザダイオード駆動回路１１４を通して、光ディスクに信号を書き込む。
【００１３】
ここで記録ストラテジとは、記録処理が行われる場合に用いられる様々な物理パラメータであり、例えば記録媒体の種類に応じた物性や記録の際の回転速度等を考慮して最適値がとられるべき値である。
【００１４】
読出し時は、光ピックアップ１０１のヘッドアンプ１０２から読出されたＲＦ信号は、最適イコライザを通して、読取りバッファ１０８とＰＬＬ回路１０７に送られる。ＰＬＬ回路１０７で作られた読出しクロックで、読取りバッファ１０８にチャンネルデータが読み取られる。読み取られたデータは、データ処理部１１１で、同期化されシンボルデータが読出される。その後誤り訂正やデスクランブル処理が行われ、インターフェース１１２を通して外部に転送される。
【００１５】
＜本発明に係る光ディスク＞
次に、本発明に係る光ディスクの構成の一例について、図２を用いて説明する。この光ディスクは、一例として、ＤＶＤ−Ｒ,又は、ＤＶＤ−ＲＷであり、基本的には、線速度３.４９m／sで記録再生が行われる。しかし、最近は、この線速度の２倍、４倍、８倍、１６倍等の高線速度での記録が行われている。
【００１６】
この光ディスクにおいて、インナーＲ−インフォメーションとして、試し書領域ＰＣＡが設けられ、その外周側に安全のための領域として、例えば、３２ＫＢのリンキングロスエリアが設けられている。更に、記録管理領域ＲＭＡ（Recording Management Area）が設けられ、更に、３２ＫＢのリンキングロスエリアが設けられている。
【００１７】
更に、外周側に、リードインエリアが設けられ、その外周側に、コンテンツデータ等が記録されるユーザデータエリアが設けられる。このユーザデータエリアは、所定の半径位置を境界として、内周側の第１領域Ｕ１と、外周側の第２領域Ｕ２とに分けることができる。その外周側に、リードアウトエリアが設けられる。アウターＲ−インフォメーションとして、３２ＫＢのリンキングロスエリアが設けられ、更に、第２の記録管理領域ＲＭＡが設けられ、更に、外周側に本発明の第２の試し書領域が設けられる。
【００１８】
本発明に係る光ディスクは、後述するように、外周側に第２の記録管理領域ＲＭＡを設けたことで、２倍速、４倍速、又は、それ以上の高倍速での記録処理のための試し書きを、モータの回転数を極端に上げることなく、確実に行うことができる。
又、ここで、リンキングロスエリアがそれぞれ設けられることにより、試し書領域ＰＣＡや記録管理領域ＲＭＡを適度に分離することにより、データの信頼性を向上させている。又、外周側に本発明の第２の試し書領域ＰＣＡが、リードアウトエリアに設けられていることで、外周側の第２の試し書領域ＰＣＡに対応していない光ディスク装置に対しても、誤動作を生じることがなく、従来機に対する互換性を確保することができる。
又、外周側にも記録管理領域ＲＭＡを設けたことで、外周側での試し書きや、外周側のユーザデータエリアを処理する場合に、容易に、記録管理領域ＲＭＡを参照することができる。
＜本発明に係る記録処理＞
次に、本発明に係る光ディスク装置による本発明に係る光ディスクを用いた記録処理について、フローチャートを用いて詳細に説明する。図３は、本発明に係る光ディスク装置の記録処理の一例を説明するためのフローチャートである。
【００１９】
本発明に係る光ディスク装置による本発明に係る光ディスクへの書込み処理は、図３のフローチャートにおいて、初めに、ディスクを記録装置にローディングすると、システム制御部１３０はサーボ制御部１０４を介して、記録装置の任意の線速度でディスクを回転させる。記録装置で再生可能な最高線速度で再生することが望ましい。
【００２０】
システム制御部１３０はデータ処理部１１１を介して、例えば、ランドプリピットからディスクに記録されている制御コードを読み取り、メモリ１２１ａに記憶する。次にシステム制御部１３０は、読取った制御コードに対応するディスク線速度を検出する。更に、このディスクの記録線速度に対応して選択可能なデータ転送速度を決定し、システム制御部１３０の制御下においてこれらの選択可能なデータ転送速度を表示部１３１等へ表示し、ユーザへの選択を促す。ユーザの操作に応じた操作信号が操作部１３１を介して与えられれば、操作信号により指定されたデータ転送速度が決定され、これに応じた記録線速度が選ばれる。
【００２１】
更に、ディスクＤの外周側に、試し書領域があるかどうかが、例えば、データ処理部１１１のＰＣＡ領域検出判定部により判断される（Ｓ１０）。存在すれば、先に選択された記録線速度が、一定の速度以上であるかどうかが、例えば、ＰＣＡ領域検出判定部により判断される（Ｓ１１）。
この判断は、所定の記録線速度以上であるかどうかが判断されてもよい。又は、所定倍速度以上であるかどうか、例えば、４倍速以上であるかどうか等により判断されてもよい。更に、ＣＡＶ（Constant Angular Velocity）方式が用いられているなら、所定回転数以上の回転で光ディスクが回転されるかどうかにより判断されてもよい。
設定された速度以上の速度で試し書が行われると判断されれば（Ｓ１２）、光ディスクの外周側の試し書領域ＰＣＡを使用して、試し書きが行われる（Ｓ１２）。設定された速度に満たない速度で試し書が行われると判断されれば、光ディスクの内周側の試し書き領域ＰＣＡを使用して、試し書きが行われる（Ｓ１３）。
【００２２】
これに併せて、一例として、光ディスクから読み出された記録ストラテジ情報が再生され、線速度に応じた記録ストラテジ候補が選ばれる。この記録線速度と記録ストラテジ候補に応じて、スピンドルモータ１２３の回転数を制御してディスクをその線速度で回転させる。
【００２３】
次にシステム制御部１３０及びデータ処理部１１１は、光ディスクの外周側（又は内周側）の試し書領域に指定された記録線速度により記録ストラテジ候補に応じて試し記録を行わせる（Ｓ１４）このときシステム制御部１３０は書込みパワー制御部１１３を介して、記録パワーを任意に振って最適な記録波形となる記録パワーを求める。試し記録した情報の再生信号の信号波形を検出して、この信号品質が良好であれば（Ｓ１５）、記録線速度、記録ストラテジ、記録パワーが決定し（Ｓ１６）、システム制御部１３０は決定した記録線速度、記録パワーでデータを記録する。システム制御部１３０はそのときの記録線速度、記録パワーをメモリ１２１ｂに記憶する。適正でないとすると、値を異ならせたストラテジで再度、適正な値となるまで、所定回数、これが繰り返される。
【００２４】
このとき、外周側試し書領域での試し書きの際は、内周から外周へ試し書きが行われ、内周側試し書領域での試し書きの際は、外周から内周へ試し書きが行われる。これにより、最外周や最内周の領域をできるだけ避けることで、試し書きを安定して行うことができる。
更に、ユーザデータエリアは、所定の半径位置を境界として、内周側の第１領域Ｕ１と、外周側の第２領域Ｕ２とに分けることができるが、内周側の第１領域Ｕ１への記録を行う際は、内周側試し書領域を使用し、外周側の第２領域Ｕ２への記録を行う際は、外周側試し書領域を使用することも好適である。これにより、使用するユーザデータエリアに近い状態で、試し書きを行うことができるので、正確なストラテジを得ることにより、安定した記録処理を行うことができる。
以上、詳細に述べたように、本発明に係る光ディスクとこれに応じる光ディスク装置によれば、高速化された高線速度による記録処理においても、試し書領域を外周側にも設けたことにより、スピンドルモータを極端に高速に回転させなくとも、試し書領域において、所望の線速度を得ることができる。これにより、高線速度による記録処理においても、適正なストラテジにより、安定した記録処理を行うことが可能となる。
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２５】
例えば、上記の例では、試し書領域は、内周側と外周側とに、２つ用意した場合を例にとって説明したが、２つに限らず３つ以上複数の領域に分け、記録領域に応じて使用するＰＣＡ領域を使い分けることも可能である。
【００２６】
【発明の効果】
以上詳述したように本発明によれば、内周側だけに限らず、例えば、外周側に試し書領域を設けたディスクを用意し、所定線速度以上の記録の際に、外周側試し書領域を使用することで、確実に試し書処理を行い、適正なストラテジを取得し、これにより、安定した記録処理を行うことができる光ディスク装置と光ディスク記録方法及び光ディスクを提供することができる。
【図面の簡単な説明】
【図１】本発明に係る光ディスク装置の構成の一例を示すブロック図。
【図２】本発明に係る光ディスクの構成の一例を示す説明図。
【図３】本発明に係る光ディスク装置の記録処理の一例を説明するためのフローチャート。
【符号の説明】
１０１…光ピックアップ、１０２…ヘッドアンプ、１１３…書込みパワー制御部、１２２…モータドライブ回路、１２３…スピンドルモータ、ＬＤ…レーザダイオード、ＰＤ…フォトダイオード。
【図１】
2004199840.tif 000003
【図２】
2004199840.tif 000004
【図３】
2004199840.tif 000005